(57)【要約】【課題】洗浄感と押圧感とが相殺されず、そのそれぞれを十分に得られる頭部用ブラシを実現する。【解決手段】頭部用ブラシ１として、把持した時に人体の手の掌と向かい合う面を表面側とすると共に、ブラシ毛４を複数設けるブラシ面３を裏面側とする把持可能な基台２の側面側に、マッサージ用の突起部５を設ける。【選択図】図６
2020096775.tif 000002
【特許請求の範囲】
【請求項１】
把持した時に人体の手の掌と向かい合う面を表面側とすると共に、ブラシ毛を複数設けるブラシ面を裏面側とする把持可能な基台の側面側に、マッサージ用の突起部を設けたことを特徴とする頭部用ブラシ。
【請求項２】
人体の手の指を挿入するための貫通孔部を前記基台の前記突起部付近に設けることを特徴とする請求項１に記載の頭部用ブラシ。
【請求項３】
前記ブラシ面に、前記ブラシ毛の外側に位置するようマッサージ用の第二突起部を設けると共に、前記第二突起部は、前記ブラシ面において前記貫通孔部とは反対側に位置するよう構成したことを特徴とする請求項２に記載の頭部用ブラシ。
【発明の詳細な説明】
【技術分野】
【０００１】  本発明は、人体の頭部に使用するための頭部用ブラシに関するものである。
【背景技術】
【０００２】  従来の頭部用ブラシは、洗浄用のブラシ毛とマッサージ用の突起部とが、同じブラシ面に設けられており、持ち方を変えることなく頭皮の洗浄とマッサージを同時に行うことができる。洗浄用のブラシ毛は、その先端が細くされているため、頭皮の汚れをかき出して快適な洗浄感をもたらすことができ、マッサージ用の突起部は、その先端が太くされているため頭皮に押圧力をかけやすく、その形状が異なる複数種の突起部を設けるなら、複数の異なるマッサージ感をもたらすことができる。一例として、ブラシ面の中央に太目のマッサージ用の突起部を設け、その外周囲に洗浄用のブラシ毛を配し、その洗浄用のブラシ毛の外周囲に細めのマッサージ用の突起部を設けたものがある（例えば特許文献１参照）。
【先行技術文献】
【特許文献】
【０００３】
【特許文献１】特開２０１６−２２０９７６号公報
【発明の概要】
【発明が解決しようとする課題】
【０００４】  上記従来の頭部用ブラシは、洗浄用のブラシ毛とマッサージ用の突起部とが、同じブラシ面に設けられ、且つブラシ面中央にあるマッサージ用の突起部の外周囲に洗浄用のブラシ毛を配し、その洗浄用のブラシ毛の外周囲にマッサージ用の突起部を設けているため、使用する時、洗浄用のブラシ毛とマッサージ用の突起部とが同時に人体の頭部に当接することになる。そのため、洗浄用のブラシ毛がもたらす洗浄感とマッサージ用の突起部がもたらす押圧感とが相互に相殺され、使用者が求める充実した洗浄感と押圧感はそれぞれ得られなくなるという問題があった。【０００５】  本発明は、このような従来の構成が有していた問題を解決しようとするものであり、洗浄感と押圧感とが相殺されず、そのそれぞれを十分に得られる頭部用ブラシを実現することを目的とするものである。
【課題を解決するための手段】
【０００６】  本発明の頭部用ブラシは、把持した時に人体の手の掌と向かい合う面を表面側とすると共に、ブラシ毛を複数設けるブラシ面を裏面側とする把持可能な基台の側面側に、マッサージ用の突起部を設けたことを最も主要な特徴とする。【０００７】  また、本発明の頭部用ブラシとして、人体の手の指を挿入するための貫通孔部を前記基台の前記突起部付近に設けることができる。【０００８】  さらに、本発明の頭部用ブラシとして、前記ブラシ面に、前記ブラシ毛の外側に位置するようマッサージ用の第二突起部を設けると共に、前記第二突起部は、前記ブラシ面において前記貫通孔部とは反対側に位置するよう構成できる。
【発明の効果】
【０００９】  本発明の頭部用ブラシは、前記ブラシ毛を複数設ける前記ブラシ面を裏面側とする把持可能な前記基台の側面側に、マッサージ用の前記突起部を設けているため、使用時に前記ブラシ毛と前記突起部とが同時に人体頭部に当接しにくくなり、洗浄用の前記ブラシ毛がもたらす洗浄感とマッサージ用の前記突起部がもたらす押圧感とが相互に相殺されにくくなる。その結果、前記ブラシ毛を中心に使用する場合、使用者は充実した洗浄感を得られ、前記突起部を中心に使用する場合、使用者は充実した押圧感を得られる。【００１０】  また、本発明の頭部用ブラシとして、人体の手の指を挿入するための前記貫通孔部を前記基台の前記突起部付近に設けるなら、前記基台を掴んで前記貫通孔部に人差し指または中指などを入れて前記基台を把持する場合、前記突起部は人体の頭部に向けやすくなって押圧力が十分伝わるようになるため、前記突起部による充実した押圧感をもたらしやすくなる。【００１１】  さらに、本発明の頭部用ブラシとして、前記ブラシ面に、前記ブラシ毛の外側に位置するようマッサージ用の前記第二突起部を設けると共に、前記第二突起部は、前記ブラシ面において前記貫通孔部とは反対側に位置するよう構成するなら、前記基台を掴んで前記貫通孔部に人体の手の人差し指または中指などを入れて前記基台を把持する場合、前記第二突起部は手の主根部付近に位置するため、手の主根部からの強い力が前記第二突起部にかかりやすくなり、人体の頭部に押圧力が十分伝わるようになるため、前記第二突起部による充実した押圧感を得られやすくなる。特に、前記突起部側を人体の頭部から浮かして前記第二突起部を中心に人体の頭部に当接させると、前記ブラシ毛が人体の頭部に当接しにくくなり、前記第二突起部による充実した押圧感をもたらすことができるし、前記第二突起部を中心に人体の頭部に当接させると共に頭皮に沿って頭頂部へ引き上げるなら、引上げマッサージを実施することができる。
【図面の簡単な説明】
【００１２】
【図１】本発明の一実施の形態における頭部用ブラシの平面図。
【図２】本発明の一実施の形態における頭部用ブラシの正面図。
【図３】本発明の一実施の形態における頭部用ブラシの左側面図。
【図４】本発明の一実施の形態における頭部用ブラシの右側面図。
【図５】本発明の一実施の形態における頭部用ブラシのＡ−Ａ断面図。
【図６】本発明の一実施の形態における頭部用ブラシの把持状態を示す斜視図。
【図７】本発明の一実施の形態における頭部用ブラシの使用状態を示す説明図。
【図８】本発明の一実施の形態における頭部用ブラシの使用状態を示す説明図。
【発明を実施するための形態】
【００１３】  以下に、本発明の頭部用ブラシを、一実施例として図面に基づき詳細に説明する。
【００１４】  本発明の頭部用ブラシ１は、図１から図６の実施形態で示したように、把持した時に人体の手の掌と向かい合う面を表面側とすると共に、ブラシ毛４を複数設けるブラシ面３を裏面側とする把持可能な基台２の側面側に、マッサージ用の突起部５を設けて構成している。
【００１５】  前記基台２、前記ブラシ毛４、前記突起部５は、樹脂や木、金属などの材質でそれぞれ独立した部品としてそれらを組み合わせた構造でもよいし、これらすべてが一体として金型成形されたものであってもよい。また、前記基台２、前記ブラシ毛４、前記突起部５をそれぞれ弾性のある樹脂やゴムなどで形成するなら、人体の頭部を強く刺激して不快感を与えることなく、快適なマッサージを実施できる。
【００１６】  前記基台２は、平たい円形に近い形状にしているので、図６に示すように手に持った時にしっかり把持しやすい。
【００１７】  複数の前記ブラシ毛４は、先端が先細り形状になっているので、人体頭部の頭皮にまで達し、頭皮の汚れを洗浄したり、マッサージしたりすることができる。
【００１８】  前述したように、前記突起部５は前記基台２の前記側面側に設けられている。すなわち、前記突起部５は前記基台２の前記表面側と前記裏面側とを結ぶ方向に対して直角に延びる方向へ先端が細くなる形状になる仕方で突出しているため、使用時に前記ブラシ毛４と前記突起部５とが同時に人体頭部に当接しにくくなり、洗浄用の前記ブラシ毛４がもたらす洗浄感とマッサージ用の前記突起部５がもたらす押圧感とが相互に相殺されにくくなる。その結果、図７に示すように、前記ブラシ毛４を中心に使用する場合、前記突起部５は当接しにくくなるため、使用者は充実した洗浄感を得られるし、図８に示すように、前記突起部５を中心に使用する場合、前記ブラシ毛４は当接しにくくなるため、使用者は充実した押圧感を得られる。しかも、前記ブラシ毛４と前記突起部５とをそれぞれ使用する際、持ち方を変えることなく、同じ持ち方で洗浄感と押圧感をそれぞれ得ることができる。
【００１９】    尚、平たい円形に近い形状の前記基台２の前記側面側から前記突起部５は突出しているが、それらが一体的に滑らかになるよう形成すると、図１に示すようにしずく型になり、そのため図８に示すように、前記基台２を把持して前記突起部５を人体の頭部に押し当てる時、前記突起部５の先端に押圧力が集中し、少ない力で十分な押圧マッサージをもたらすことができる。
【００２０】  また、本発明の頭部用ブラシ１は、図１、図５、図６などで示すように、人体の手の指を挿入するための貫通孔部２１を前記基台２の前記突起部５付近に設けることができる。
【００２１】  前記貫通孔部２１は図１に示すように、角を丸くした三角形に近い形状をしているため、先端が細くなる形状をしている前記突起部５の形状に沿って設けることができる。
【００２２】  このように、人体の手の指を挿入するための前記貫通孔部２１を前記基台２の前記突起部５付近に設けることにより、前記基台２を掴んで前記貫通孔部２１に人差し指または中指などを入れて前記基台２を把持する場合、前記突起部５は図８に示すように、人体の頭部に向けやすくなって押圧力が十分伝わるようになるため、前記突起部５による充実した押圧感をもたらしやすくなる。
【００２３】  さらに、本発明の頭部用ブラシ１として、図２から図６に示すように、前記ブラシ面３に、前記ブラシ毛４の外側に位置するようマッサージ用の第二突起部６を設けると共に、前記第二突起部６は、前記ブラシ面３において前記貫通孔部２１とは反対側に位置するよう構成できる。尚、前記第二突起部６を複数設けることができる。
【００２４】  そのように構成するなら、図６に示すように、前記基台２を掴んで前記貫通孔部２１に人体の手の人差し指または中指などを入れて前記基台２を把持する場合、前記第二突起部６は手の主根部付近に位置するため、手の主根部からの強い力が前記第二突起部６にかかりやすくなり、人体の頭部に前記第二突起部６からの押圧力が十分伝わるようになるため、前記第二突起部６による充実した押圧感を得られやすくなる。
【００２５】  特に、前記突起部５側を人体の頭部から浮かして前記第二突起部６を中心に人体の頭部に当接させると、前記ブラシ毛４が人体の頭部に当接しにくくなり、前記第二突起部６による充実した押圧感をもたらすことができるし、前記第二突起部６を中心に人体の頭部に当接させると共に頭皮に沿って頭頂部へ引き上げるなら、引上げマッサージを実施することができる。
【００２６】  複数の前記ブラシ毛４と前記第二突起部６側との間に、前記基台２においてスリット孔部２２を設けるなら、前記基台２を弾性のある樹脂やゴムなどで形成する場合、前記第二突起部６を中心に人体の頭部に当接させると共に頭皮に沿って頭頂部へ引き上げる際に、前記第二突起部６が撓みやすくなり、図７に示すように頭皮を捉えて効果的な引上げマッサージを実施することができる。
【符号の説明】
【００２７】  １  頭部用ブラシ
２  基台
２１  貫通孔部
２２  スリット孔部
３  ブラシ面
４  ブラシ毛
５  突起部
６  第二突起部
【図１】
2020096775.tif 000003
【図２】
2020096775.tif 000004
【図３】
2020096775.tif 000005
【図４】
2020096775.tif 000006
【図５】
2020096775.tif 000007
【図６】
2020096775.tif 000008
【図７】
2020096775.tif 000009
【図８】
2020096775.tif 000010